(57)【特許請求の範囲】
【請求項１】
非接触ＩＣタグと、ＩＣタグ読み取り装置と、データセンタと、データベースと、を有する貨物管理システムにおける非接触ＩＣタグであって、
前記非接触ＩＣタグは、
ＩＣチップと、少なくとも前記ＩＣチップと前記ＩＣタグ読み取り装置との間で通信を行なうためのアンテナとを具備し、
複数の運送業者により運送される貨物に貼付されるものであって、
前記データセンタに接続されるデータベースに記憶された復号鍵で復号可能であり前記複数の運送業者毎に設定された暗号鍵により暗号化された運送情報を記憶するとともに非接触ＩＣタグを識別するタグ識別情報を記憶する記憶手段と、
前記ＩＣタグ読み取り装置からの要求に基づいて、前記ＩＣタグ読み取り装置に送信すべき運送情報を前記記憶手段から読み出す制御手段と、
前記制御手段により読み出された前記運送情報と前記記憶手段に記憶されたタグ識別情報とを前記ＩＣタグ読み取り装置へ送信する送信手段と
を具備することを特徴とする非接触ＩＣタグ。
【請求項２】
非接触ＩＣタグと、ＩＣタグ読み取り装置と、データセンタと、データベースと、を有する貨物管理システムであって、
前記非接触ＩＣタグは、
ＩＣチップと、少なくとも前記ＩＣチップと前記ＩＣタグ読み取り装置との間で通信を行なうためのアンテナとを具備し、
複数の運送業者により運送される貨物に貼付され、前記複数の運送業者の各々に対する運送情報を当該運送業者毎に設定された暗号鍵により暗号化して記憶するとともに、非接触ＩＣタグを識別するタグ識別情報を記憶しており、
前記ＩＣタグ読み取り装置は、
前記自身が属する運送業者を識別する業者識別情報を記憶しており、
前記ＩＣタグからタグ識別情報を受信すると、この受信したタグ識別情報と前記業者識別情報とを前記データセンタに送信する送信手段と、
前記データセンタから送信される復号鍵を受信する受信手段と、
前記ＩＣタグに記憶された運送情報を当該ＩＣタグから受信すると、前記受信手段が受信した復号鍵によって、当該運送情報を復号する復号手段と、
前記復号手段が復号した運送情報を出力する出力手段と、を有し、
前記データベースは、
タグ識別情報と業者識別情報とに対応づけて、非接触ＩＣタグに暗号化されて記憶されている各運送業者に関する運送情報を復号するための復号鍵を記憶しており、
データセンタは、
前記ＩＣタグ読み取り装置からタグ識別情報と業者識別情報とを受信する受信手段と、
前記受信手段が受信したタグ識別情報と業者識別情報とに従って、前記データベースから対応する復号鍵を検索し、該復号鍵をＩＣタグ読み取り装置に送信する送信手段と、を有する
ことを特徴とする貨物管理システム。
【請求項３】
前記ＩＣタグ読み取り装置の出力手段は、前記復号手段によって復号された運送情報を表示する表示手段を有する
ことを特徴とする請求項２記載の貨物管理システム。
【請求項４】
前記ＩＣタグ読み取り装置は、前記非接触ＩＣタグからタグ識別情報を受信する毎に、受信したタグ識別情報と前記業者識別情報とを前記送信手段によって前記データセンタに送信し、前記データセンタから送信される復号鍵を受信手段によって受信し、復号手段によって運送情報を復号する
ことを特徴とする請求項２または請求項３に記載の貨物管理システム。
【請求項５】
非接触ＩＣタグと、ＩＣタグ読み取り装置と、データセンタと、データベースと、を有する貨物管理システムにおける貨物管理方法であって、
ＩＣチップと、少なくとも前記ＩＣチップと前記ＩＣタグ読み取り装置との間で通信を行なうためのアンテナとを具備する非接触ＩＣタグを、複数の運送業者により運送される貨物に貼付しておき、当該非接触ＩＣタグに、前記複数の運送業者の各々に対する運送情報を当該運送業者毎に設定された暗号鍵により暗号化して記憶するとともに、非接触ＩＣタグを識別するタグ識別情報を記憶しておき、
前記ＩＣタグ読み取り装置が、
前記ＩＣタグからタグ識別情報を受信すると、この受信したタグ識別情報と自身に記憶された業者識別情報とを前記データセンタに送信し、
前記データセンタから送信される復号鍵を受信し、
前記ＩＣタグに記憶された運送情報を当該ＩＣタグから受信すると、前記受信した復号鍵によって、当該運送情報を復号し、
前記復号した運送情報を出力し、
データセンタは、
前記ＩＣタグ読み取り装置からタグ識別情報と業者識別情報とを受信し、
タグ識別情報と業者識別情報とに対応づけて、非接触ＩＣタグに暗号化されて記憶されている各運送業者に関する運送情報を復号するための復号鍵を記憶したデータベースを参照して、前記受信したタグ識別情報と業者識別情報とに従って、当該データベースから対応する復号鍵を検索し、該復号鍵をＩＣタグ読み取り装置に送信する
ことを特徴とする貨物管理方法。
【請求項６】
非接触ＩＣタグと、ＩＣタグ読み取り装置と、データセンタと、データベースと、を有する貨物管理システムにおけるＩＣタグ読み取り装置のコンピュータに、
前記ＩＣタグから非接触ＩＣタグを識別するタグ識別情報を受信すると、この受信したタグ識別情報と自身に記憶された業者識別情報とを前記データセンタに送信するステップと、
前記データセンタにおいて前記受信したタグ識別情報と業者識別情報とに従って、タグ識別情報と業者識別情報とに対応づけて非接触ＩＣタグに暗号化されて記憶されている各運送業者に関する運送情報を復号するための復号鍵を記憶したデータベース当該データベースから対応する復号鍵を検索されてデータセンタから送信される復号鍵を受信するステップと、
前記ＩＣタグに記憶された運送情報を当該ＩＣタグから受信すると、前記受信した復号鍵によって、当該運送情報を復号するステップと、
前記復号した運送情報を出力するステップと、
を実行させることを特徴とする貨物管理プログラム。
【請求項７】
非接触ＩＣタグと、ＩＣタグ読み取り装置と、データセンタと、データベースと、を有する貨物管理システムにおけるＩＣタグ読み取り装置のコンピュータに、
前記ＩＣタグから非接触ＩＣタグを識別するタグ識別情報を受信すると、この受信したタグ識別情報と自身に記憶された業者識別情報とを前記データセンタに送信するステップと、
前記データセンタにおいて前記受信したタグ識別情報と業者識別情報とに従って、タグ識別情報と業者識別情報とに対応づけて非接触ＩＣタグに暗号化されて記憶されている各運送業者に関する運送情報を復号するための復号鍵を記憶したデータベース当該データベースから対応する復号鍵を検索されてデータセンタから送信される復号鍵を受信するステップと、
前記ＩＣタグに記憶された運送情報を当該ＩＣタグから受信すると、前記受信した復号鍵によって、当該運送情報を復号するステップと、
前記復号した運送情報を出力するステップと、
をコンピュータに実行させるプログラムを記録したことを特徴とする記録媒体。
【発明の詳細な説明】
【０００１】
【発明の属する技術分野】
本発明は、非接触ＩＣタグ、貨物管理システム、貨物管理方法、貨物管理プログラムおよび記録媒体に関する。
【０００２】
【従来の技術】
従来、貨物輸送においては、一般の宅配便のように、一運送業者が荷送人から荷受人の運送を行なうのではなく、中間に複数の運送業者が介在する。このため、荷札の記載も宅配便等とは異なり、中間に介在する運送業者の荷札が貼付される。各運送業者の運送集配センタでは、貨物の収集、仕分け、トラックへの荷積み、次の運送集配センタまたは顧客への配送などの業務が行なわれる。このとき、各運送集配センタでは、作業者が目視により荷札を確認して仕分け、荷積み、配送などを行なう。
【０００３】
このような荷札を用いた業務では、作業者の負担が大きく、配送ミスが生じたり、仕分けに時間がかかったりするなどの問題があった。また、荷札としては、中間に介在する運送業者に関する情報も記載されるため、他業者に情報が見られてしまう。また、荷札のコストは、５〜１０円／枚程度ではあるが、業界全体でみると、億単位の貨物が扱われており、運送全体にかかるコストとしては膨大な額となることは明白である。
【０００４】
そこで、荷札に荷物を識別するためのバーコードを貼付し、該バーコードと荷物の属性（荷送人情報、荷受人情報、品目、価格、顧客情報など）とをコンピュータ上で管理することで、自動仕分けを実現する技術が実用化されている。このように、バーコードを導入することにより、作業者の負担を低減し、配送ミスの防止、仕分け時間の短縮化を図っている。
【０００５】
【発明が解決しようとする課題】
しかしながら、貨物輸送においては、前述したように、中間に複数の運送業者が介在し、それぞれの業者毎に管理システムが存在する。このため、それぞれの業者毎にバーコードを貼付する必要があり、コストの面では、荷札と同様の問題があった。また、バーコードを用いた場合には、バーコード面に対して所定の距離範囲内でレーザ光を照射し、その反射光を読み取る必要があり、読み取り機器の設置や読み取り方法において物理的な制限があった。
【０００６】
この発明は上述した事情に鑑みてなされたもので、コストの低減を図りつつ、運送業務を円滑に、かつ迅速に行なうことができる非接触ＩＣタグ、貨物管理システム、貨物管理方法、貨物管理プログラムおよび記録媒体を提供することを目的とする。
【０００７】
【課題を解決するための手段】
上述した問題点を解決するために、請求項１記載の発明では、ＩＣチップと、少なくとも前記ＩＣチップと外部機器との間で通信を行なうためのアンテナとを具備し、複数の運送業者により運送される貨物に貼付される非接触ＩＣタグであって、前記複数の運送業者の各々に対する運送情報を暗号化して記憶する記憶手段と、前記外部機器からの要求に基づいて、前記外部機器に送信すべき運送情報を前記記憶手段から読み出す制御手段と、前記制御手段により読み出された前記運送情報を外部機器へ送信する送信手段とを具備することを特徴とする。
【０００８】
また、上述した問題点を解決するために、請求項２記載の発明では、ＩＣチップと、少なくとも前記ＩＣチップと外部機器との間で通信を行なうためのアンテナとを具備し、複数の運送業者により運送される貨物に貼付され、前記複数の運送業者の各々に対する運送情報をそれぞれの暗号鍵により暗号化して記憶する非接触ＩＣタグと、前記暗号鍵に対応する復号鍵を記憶し、復号鍵要求があると、対応する復号鍵を送信する復号鍵管理手段と、前記非接触ＩＣタグから運送情報を読み出し、該運送情報に対する暗号鍵に対する復号鍵を前記復号鍵管理手段から取得し、該復号鍵により暗号化された運送情報を復号し、復号した運送情報を提示する読み取り手段とを具備することを特徴とする。
【０００９】
また、請求項３記載の発明では、請求項２記載の貨物管理システムにおいて、前記非接触ＩＣタグは、タグ自身を識別するためのタグ識別情報を記憶し、前記読み取り手段は、自身が属する運送業者を識別する業者識別情報を記憶し、前記復号鍵管理手段は、前記タグ識別情報と前記業者識別情報とに基づいて、前記読み取り手段へ送信すべき復号鍵を特定することを特徴とする。
【００１０】
また、上述した問題点を解決するために、請求項４記載の発明では、ＩＣチップと、少なくとも前記ＩＣチップと外部機器との間で通信を行なうためのアンテナを具備し、前記複数の運送業者の各々に対する運送情報をそれぞれの暗号鍵により暗号化して記憶する非接触ＩＣタグを、複数の運送業者により運送される貨物に貼付し、前記非接触ＩＣタグから暗号化された運送情報を読み出し、該暗号化された運送情報に対する暗号鍵に対する復号鍵により暗号化された運送情報を復号し、該復号化した運送情報に基づいて、貨物の荷卸、仕分け、荷積み、配送を行なうことを特徴とする。
【００１１】
また、請求項５記載の発明では、請求項４記載の貨物管理方法において、前記復号鍵は、前記非接触ＩＣタグを識別するためのタグ識別情報と、運送業者を識別する業者識別情報とに基づいて管理されることを特徴とする。
【００１２】
また、上述した問題点を解決するために、請求項６記載の発明では、ＩＣチップと、少なくとも前記ＩＣチップと外部機器との間で通信を行なうためのアンテナを具備し、前記複数の運送業者の各々に対する運送情報をそれぞれの暗号鍵により暗号化して記憶し、複数の運送業者により運送される貨物に貼付された非接触ＩＣタグから暗号化された運送情報を読み出すステップと、前記読み出した運送情報に対する暗号鍵に対する復号鍵を取得するステップと、前記取得した復号鍵により暗号化された運送情報を復号するステップと、前記復号した運送情報を提示するステップとをコンピュータに実行させることを特徴とする。
【００１３】
また、上述した問題点を解決するために、請求項７記載の発明では、ＩＣチップと、少なくとも前記ＩＣチップと外部機器との間で通信を行なうためのアンテナを具備し、前記複数の運送業者の各々に対する運送情報をそれぞれの暗号鍵により暗号化して記憶し、複数の運送業者により運送される貨物に貼付された非接触ＩＣタグから暗号化された運送情報を読み出すステップと、前記読み出した運送情報に対する暗号鍵に対する復号鍵を取得するステップと、前記取得した復号鍵により暗号化された運送情報を復号するステップと、前記復号した運送情報を提示するステップとをコンピュータに実行させるプログラムを記録したことを特徴とする。
【００１４】
この発明では、ＩＣチップと、少なくとも前記ＩＣチップと外部機器との間で通信を行なうためのアンテナとを具備し、複数の運送業者の各々に対する運送情報をそれぞれの暗号鍵により暗号化して記憶する非接触ＩＣタグを、複数の運送業者により運送される貨物に貼付し、読み取り手段により、前記非接触ＩＣタグから運送情報を読み出し、該運送情報に対する暗号鍵に対する復号鍵を復号鍵管理手段から取得し、該復号鍵により暗号化された運送情報を復号し、復号した運送情報を提示する。したがって、コストの低減を図りつつ、運送業務を円滑に、かつ迅速に行なうことが可能となる。
【００１５】
【発明の実施の形態】
以下、図面を用いて本発明の実施の形態を説明する。
【００１６】
Ａ．実施形態の構成
図１は、本発明の実施形態による貨物管理システムの構成を示すブロック図である。図１において、非接触ＩＣタグ１は、データを保存することができるＩＣチップを内蔵し、無線により電力供給やデータ伝送を行なう。データとしては、運送業者毎に、運送業務で必要とされる運送情報（後述）が暗号化されて記憶されていとともに、タグ自身を識別するためのタグＩＤが記憶されている。該非接触ＩＣタグ１は、１つ１つの荷物に貼付されている。
【００１７】
ＩＣタグ読み取り装置２−１〜２−ｎは、各運送業者の運送集配センタに複数台設置されており、非接触ＩＣタグ１へ電力を供給するとともに、非接触ＩＣタグ１に記憶されている運送情報を読み取るようになっている。より具体的には、ＩＣタグ読み取り装置２−１〜２−ｎは、非接触ＩＣタグ１からＩＣタグを識別するためのタグＩＤを読み取り、該タグＩＤと自身の事業者ＩＤとを、後述するデータセンタ３へ送信し、該データセンタ３から返信されてくる復号鍵により非接触ＩＣタグ１に暗号化されて記憶されている、自身の運送情報を復号化して表示するようになっている。事業者ＩＤは、運送業者毎にセキュリティ管理されており、予めＩＣタグ読み取り装置２−１〜２−ｎに設定されている。ゆえに、他の運送業者に関する運送情報は読み出せないようになっている。
【００１８】
データセンタ３は、ＩＣタグ読み取り装置２−１〜２−ｎからのタグＩＤと業者ＩＤとに従って、データベース４から対応する復号鍵を検索し、該復号鍵をＩＣタグ読み取り装置２−１〜２−ｎに返信するようになっている。データベース４には、タグＩＤと業者ＩＤとに対応づけて、非接触ＩＣタグ１に暗号化されて記憶されている各運送業者に関する運送情報を復号するための復号鍵を記憶している。
【００１９】
上記ＩＣ読み取り装置２−１〜２−ｎとデータセンタ３とは、インターネットやＬＡＮなどのネットワーク５により接続されている。
【００２０】
次に、図２は、上述した非接触ＩＣタグ１の略構成を示すブロック図である。図において、非接触ＩＣタグ１は、ＩＣチップ１０とアンテナ１１とから構成されている。ＩＣチップ１０は、プログラムを記憶するＲＯＭ１０１、各運送業者に関する運送情報などを記憶するＲＡＭ１０２、無線電波から電力を発生して各部に供給する電源供給部１０３、ＩＣタグ読み取り装置２−１〜２−ｎとの間で情報を送受信するための通信部１０４、および全体を制御する制御部１０５から構成されている。アンテナ１１は、無指向性であり、ＩＣタグ読み取り装置２−１〜２−ｎとの間で電波により情報（タグＩＤの要求、運送情報）を送受信する。
【００２１】
次に、図３は、非接触ＩＣタグ１に記憶されている情報を示す概念図である。非接触ＩＣタグ１には、タグを識別するための非接触ＩＣタグ１毎に設定されたタグＩＤ、運送業者毎に設定された暗号鍵により暗号化された、運送業者毎の運送情報が記憶されている。図示の例では、航空輸送（国際部分）に関する運送情報２０−１、陸送部分に関する運送情報２０−２、およびその他（顧客部分）に関する運送情報２０−３が、各々、暗号鍵ａ，ｂ，ｃにより暗号化されて記憶されている。暗号鍵ａ，ｂ，ｃには、各々、復号鍵Ａ，Ｂ，Ｃが対応しており、該復号鍵Ａ，Ｂ，Ｃにより暗号化された運送情報２０−１，２０−２，２０−３を復号（解読）することが可能である。該復号鍵Ａ，Ｂ，Ｃは、前述したデータセンタ３のデータベース４に保存されている。
【００２２】
次に、図４は、上述したＩＣタグ読み取り装置２−ｉ（ｉ＝１〜ｎ）の実施例を示す模式図である。ＩＣタグ読み取り装置２−ｉ（ｉ＝１〜ｎ）としては、ハンディターミナルと呼ばれるような、作業者が手に持って取り扱える機器を用いることが考えられる。データセンタ３との通信は、ＩＣタグ読み取り装置２−ｉ（ｉ＝１〜ｎ）から、直接、無線または有線により（無線の方が利便性が高い）、ネットワーク５を介して行ってもよいし、ネットワーク５に接続された端末（パーソナルコンピュータなど）３０を介して行ってもよい。端末３０を介して行なう場合、ＩＣタグ読み取り装置２−ｉ（ｉ＝１〜ｎ）と端末３０とは無線により通信することが好ましい。
【００２３】
次に、図５は、ＩＣタグ読み取り装置２−ｉ（ｉ＝１〜ｎ）の略構成を示すブロック図である。ＩＣタグ読み取り装置２−ｉ（ｉ＝１〜ｎ）は、プログラムを記憶するＲＯＭ４０１、各種データを（一時）記憶するＲＡＭ４０２、業者ＩＤなどを入力するキー入力部４０３、非接触ＩＣタグ１やネットワーク５との通信を行なう通信部（アンテナ４０５を含む）４０４、運送情報２１−１〜２１−３やタグＩＤ２０、その他の入力データなどを表示する表示部４０６、および全体を制御する制御部４０７から構成されている。
【００２４】
Ｂ．実施形態の動作
次に、上述した実施形態の動作について説明する。ここで、図６および図７は、本実施形態の動作を説明するためのフローチャートである。
【００２５】
Ｂ−１．全体動作
まず、海外の代理店において、乱数などを用いて暗号鍵ａ，ｂ，ｃおよび復号鍵Ａ，Ｂ，Ｃを生成し、該暗号鍵ａ，ｂ，ｃにより各運送業者の運送情報を暗号化し、各運送業者の運送情報２０−１〜２０−２として、非接触タグ１に記憶させる。復号鍵Ａ，Ｂ，Ｃは、データセンタ３に送信され、データベース４に記憶される。なお、暗号鍵ａ，ｂ，ｃおよび復号鍵Ａ，Ｂ，Ｃは、データセンタ３で生成されてもよく、この場合、代理店（の端末）からの要求に応じて、データセンタ３から送信して非接触ＩＣタグ１に記憶すればよい。また、代理店では、非接触ＩＣタグ１を識別するためのタグＩＤ２０を非接触ＩＣタグ１に記憶する。該非接触ＩＣタグ１は、貨物に貼付される。該貨物は、航空機により国内へ輸送される。
【００２６】
国内では、各運送集配センタにおいて、まず、作業者が、ＩＣタグ読み取り装置２−ｉ（ｉ＝１〜ｎ）に対して所定の操作を行なうことで、ＩＣタグ読み取り装置２−ｉから貨物に貼付されている非接触ＩＣタグ１にタグＩＤを要求する（ステップＳ１）。
【００２７】
非接触ＩＣタグ１では、電源供給部１０３により、このときの要求信号により電力が生成され、各部へ供給される。次いで、タグＩＤ要求に従って、ＲＡＭ１０２に記憶されている自身のタグＩＤを送信する（ステップＳ１０）。
【００２８】
ＩＣタグ読み取り装置２−ｉでは、タグＩＤを受信したか否かを判断しており（ステップＳ２）、非接触ＩＣタグ１からタグＩＤを受信すると、該タグＩＤおよび事業者ＩＤとともに、データセンタ３に対して、復号鍵を要求する（ステップＳ３）。
【００２９】
データセンタ３では、復号鍵が要求されたか否かを判断しており（ステップＳ２０）、復号鍵が要求されると、タグＩＤおよび事業者ＩＤに従って、データベース４から対応する復号鍵を検索し（ステップＳ２１）、該復号鍵をＩＣタグ読み取り装置２−ｉに返信する（ステップＳ２２）。
【００３０】
ＩＣタグ読み取り装置２−ｉでは、復号鍵を受信したか否かを判断しており（ステップＳ４）、データセンタ３から復号鍵を受信すると、非接触ＩＣタグ１に対して、事業者ＩＤとともに、運送情報を要求する。
【００３１】
非接触ＩＣタグ１では、タグＩＤの送信後、運送情報が要求されたか否かを判断しており（ステップＳ１１）、上記ＩＣタグ読み取り装置２−ｉから運送情報の要求信号を受信すると、事業者ＩＤに従って、その運送業者の暗号化された運送情報を送信する（ステップＳ１２）。
【００３２】
ＩＣタグ読み取り装置２−ｉでは、運送情報の要求後、運送情報を受信したか否かを判断しており（ステップＳ６）、非接触ＩＣタグ１から暗号化された運送情報を受信すると、受信していた復号鍵を用いて、運送情報を復号する（ステップＳ７）。そして、復号化された運送情報、すなわち自身の運送情報を表示部４０６で表示する（ステップＳ８）。
【００３３】
Ｂ−２．具体例
次に、本実施形態の動作をより具体的に説明する。ここで、図８は、本実施形態の動作を説明するための概念図である。まず、非接触ＩＣタグが貼付された貨物は、航空機により国内に輸送されてくる（ＳＳ１）。輸入上屋では、まず、ＩＣタグ読み取り装置２−ｉを用いて、データセンタ３に対して、復号鍵を要求する（ＳＳ２）。データセンタ３からは、航空輸送に関する運送情報２１−１に対応する復号鍵ＡがＩＣタグ読み取り装置２−ｉへ送信される（ＳＳ３）。そして、ＩＣタグ読み取り装置２−ｉでは、非接触ＩＣタグ１から航空輸送に関する運送情報２１−１のみが読み出され、復号鍵Ａにより復号化されて表示される。輸入上屋では、上記運送情報２１−１に従って、貨物の仕分け、荷積みが行なわれ、陸送拠点へ配送される（ＳＳ４）。
【００３４】
陸送拠点では、まず、ＩＣタグ読み取り装置２−ｉを用いて、データセンタ３に対して、復号鍵を要求する（ＳＳ５）。データセンタ３からは、陸送輸送に関する運送情報２１−２に対応する復号鍵ＢがＩＣタグ読み取り装置２−ｉへ送信される（ＳＳ６）。そして、ＩＣタグ読み取り装置２−ｉでは、非接触ＩＣタグ１から陸送輸送に関する運送情報２１−２のみが読み出され、復号鍵Ｂにより復号化されて表示される。陸送拠点では、上記運送情報２１−２に従って、貨物の仕分けが行なわれる（ＳＳ７）。
【００３５】
さらに、陸送拠点では、ＩＣタグ読み取り装置２−ｉを用いて、データセンタ３に対して復号鍵を要求し（ＳＳ８）、データセンタ３から復号鍵Ｃを受信する（ＳＳ９）。そして、非接触ＩＣタグ１から読み出された、顧客部分に関する運送情報２１−３のみが復号化されて表示される。陸送拠点では、上記運送情報２１−３に従って、貨物の荷積みが行なわれた後、顧客へ向けて配送される（ＳＳ１０）。
【００３６】
上記貨物は、配送作業員により、運送情報２１−３に従って顧客まで配送される（ＳＳ１１）。顧客への手渡しにおいては、再び、配送作業員により、ＩＣタグ読み取り装置２−ｉを用いて、データセンタ３に対して復号鍵を要求し（ＳＳ１２）、データセンタ３から復号鍵Ｃを受信する（ＳＳ１３）。そして、非接触ＩＣタグ１から読み出された、顧客部分に関する運送情報２１−３のみが復号化されて表示される。配送作業者は、運送情報２１−３に従って、貨物が間違っていないか、顧客が間違っていないかなどを確認するとともに、配送終了をデータセンタ３へ通知する（ＳＳ１４）。
【００３７】
上述した実施形態では、貨物に非接触ＩＣタグを貼付し、該非接触ＩＣタグに記憶されている自身の運送情報を読み出し、該運送情報に従って、貨物の荷卸、仕分け、荷積み、配送を行なうことで、コストの低減を図りつつ、運送業務を円滑に、かつ迅速に行なうことが可能となる。また、運送情報を暗号化することで、運送業者間での運送情報の漏洩を防止することが可能となる。
【００３８】
また、本発明の副次効果として、事前に貨物１つ１つに対する運送情報を非接触ＩＣタグで管理することで、該当貨物がどの業者、どのトラックに積載されるかを判断することができるので、図９に示すように、トラック毎に仕分けすることができ、トラック積載時の作業効率を向上させることが可能となる。
【００３９】
なお、上述した実施形態において、ＩＣタグ読み取り装置２−１〜２−ｎ、データセンタ３の機能は、それぞれのＲＯＭなどの記憶部に記憶されたプログラムを実行することで実現するようになっている。記憶部は、図示したＲＯＭ以外にも、ハードディスク装置や光磁気ディスク装置、フラッシュメモリ等の不揮発性メモリやＲＡＭ（Random Access Memory）のような揮発性のメモリ、あるいはこれらの組み合わせにより構成されるものとする。また、上記記憶部とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
【００４０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワークや電話回線等の通信回線のように情報を伝送する機能を有する媒体のことをいう。また、上記プログラムは、上述した処理の一部を実現するためのものであってもよい。さらに、上述した処理をＩＣタグ読み取り装置２−１〜２−ｎ、データセンタ３に既に記録されているプログラムとの組み合わせで実現できるもの、いわゆる差分ファイル（差分プログラム）であってもよい。
【００４１】
以上、この発明の実施形態を図面を参照して詳述してきたが、具体的な構成は、上記実施形態に限られるものではなく、この発明の要旨を逸脱しない範囲の設計等も含まれる。
【００４２】
【発明の効果】
以上説明したように、本発明によれば、ＩＣチップと、少なくとも前記ＩＣチップと外部機器との間で通信を行なうためのアンテナとを具備し、複数の運送業者の各々に対する運送情報をそれぞれの暗号鍵により暗号化して記憶する非接触ＩＣタグを、複数の運送業者により運送される貨物に貼付し、読み取り手段により、前記非接触ＩＣタグから運送情報を読み出し、該運送情報に対する暗号鍵に対する復号鍵を復号鍵管理手段から取得し、該復号鍵により暗号化された運送情報を復号し、復号した運送情報を提示するようにしたので、コストの低減を図りつつ、運送業務を円滑に、かつ迅速に行なうことができるという利点が得られる。
【図面の簡単な説明】
【図１】  本発明の実施形態による貨物管理システムの構成を示すブロック図である。
【図２】  非接触ＩＣタグ１の略構成を示すブロック図である。
【図３】  非接触ＩＣタグ１に記憶されている情報を示す概念図である。
【図４】  ＩＣタグ読み取り装置２−ｉ（ｉ＝１〜ｎ）の実施例を示す模式図である。
【図５】  ＩＣタグ読み取り装置２−ｉ（ｉ＝１〜ｎ）の略構成を示すブロック図である。
【図６】  本実施形態の動作を説明するためのフローチャートである。
【図７】  本実施形態の動作を説明するためのフローチャートである。
【図８】  本実施形態の動作を説明するための概念図である。
【図９】  本発明の副次効果を説明するための概念図である。
【符号の説明】
１  非接触ＩＣタグ
２−１〜２−ｎ  ＩＣタグ読み取り装置（読み取り手段）
３  データセンタ
４  データベース（復号鍵管理手段）
５  ネットワーク
１０  ＩＣチップ
１１  アンテナ
１０１  ＲＯＭ
１０２  ＲＡＭ（記憶手段）
１０３  電源供給部
１０４  通信部（送信手段）
１０５  制御部（制御手段）
２０  タグＩＤ
２１−１〜２１−３  運送情報
ａ，ｂ，ｃ  暗号鍵
Ａ，Ｂ，Ｃ  復号鍵
【図１】
0004047016.tif 000002
【図２】
0004047016.tif 000003
【図３】
0004047016.tif 000004
【図４】
0004047016.tif 000005
【図５】
0004047016.tif 000006
【図６】
0004047016.tif 000007
【図７】
0004047016.tif 000008
【図８】
0004047016.tif 000009
【図９】
0004047016.tif 000010